(57)【特許請求の範囲】
【請求項１】
容器本体と蓋体を両者の後端部で枢着し、容器本体上面に形成した凹所内に化粧料を収納する皿枠を設けると共に、容器本体前部に付設した係合突起に対して蓋体前部から垂設したフックを係合させて、蓋体を閉成状態に保持する構成とした化粧料容器において、
上記皿枠の縁の一部に弾性板から成る吸音部材を突設し、蓋体を閉じるべくフックが係合突起に乗り上げ、その下り斜面での係合過程に入った際、蓋体と容器本体の接触を阻止すべく蓋体に上記吸音部材が接触されるようにし、
上記弾性板が、上記縁の一部に２本の溝を入れて形成され、上下方向に弾性的に撓む小片と、該小片の上面に形成された突起とから成ることを特徴とする化粧料容器。
【発明の詳細な説明】
【０００１】
【発明の属する技術分野】
本発明は、容器本体と蓋体を両者の後端部で枢着した化粧料容器、特にその蓋体を閉じる際に発生する音を減少させる構造に関するものである。
【０００２】
【従来の技術】
化粧料容器は、ファンデーションやパフ等の化粧品を収納する容器として知られる。この化粧料容器の開閉係止構造としては、従来、容器本体と該容器本体上面を開閉する蓋体とを両者の後端部で枢着すると共に、容器本体前部の前面壁に付設した係合突起に対して蓋体前部から垂設したフックを係合させ、蓋体を閉成状態に保持する構成としたものがある。また、蓋を直接に手指による操作で押し上げて強制的にフックを係脱させるものに代えて、押圧操作方式の操作ピースを介してフックを係脱させるものも知られている。
【０００３】
【発明が解決しようとする課題】
しかしながら、従来の化粧料容器では、その蓋体を閉じる際に、蓋体前部のフックが容器本体前部の係合突起を乗り越えて係合する際に、蓋体と容器本体とが接触して耳障りな音を発するという課題があった。
【０００４】
そこで、本発明の目的は、上記課題を解決し、化粧料容器において、蓋体を閉じるべくフックが係合突起を乗り越えた際に発生する音を減少させることにある。
【０００５】
【課題を解決するための手段】
上記目的を達成するため、請求項１の発明に係る化粧料容器は、容器本体と蓋体を両者の後端部で枢着し、容器本体上面に形成した凹所内に化粧料を収納する皿枠を設けると共に、容器本体前部に付設した係合突起に対して蓋体前部から垂設したフックを係合させて、蓋体を閉成状態に保持する構成とした化粧料容器において、上記皿枠の縁の一部に弾性板から成る吸音部材を突設し、蓋体を閉じるべくフックが係合突起に乗り上げ、その下り斜面での係合過程に入った際、蓋体と容器本体の接触を阻止すべく蓋体に上記吸音部材が接触されるようにし、上記弾性板が、上記縁の一部に２本の溝を入れて形成され、上下方向に弾性的に撓む小片と、該小片の上面に形成された突起とから成ることを特徴とする。
【０００６】
本発明は皿枠に弾性板から成る吸音部材を設ける形態（図１〜図２）である。
【０００７】
皿枠を有する構成の化粧料容器において、フックを係合突起に係合させた際の容器本体と蓋体との接触が弾性板から成る吸音部材で阻止されるため、フック係合時に蓋体と容器本体とが接触して発生する音を、従来の化粧料容器に較べ、小さく、ソフトな音に軽減することができる。
【０００８】
【発明の実施の形態】
以下、本発明を図示の実施形態に基づいて説明する。図１及び図２は本発明の化粧料容器の実施形態を示す。本実施形態の化粧料容器は、合成樹脂製の容器本体１０と蓋体２０とを、それぞれの後端部において図示してない蝶番により開閉自在に枢着して構成されている。
【０００９】
容器本体１０は、上面に凹所１１を備えている。また、容器本体１０には、その容器本体前部１２の正面壁１２ａに操作用の凹所１３が設けられ、その凹所１３の前面壁１３ａに、フック機構の構成要素の一つである係合突起１４が付設されている。この係合突起１４は、図１に示すように山形断面をしており、上り斜面１４ａ及び下り斜面１４ｂを有する。一方、蓋体２０の前部２１には、その下面中央にフック機構の構成要素の一つであるフック２２が垂設されており、その爪部２３が容器本体１０前部の係合突起１４に対して係合して、蓋体２０を閉成状態に保持し得る構成となっている。また、蓋体２０には、その内側面にバニティミラー２４が取り付けられている。容器本体１０の皿枠４０に弾性板３３から成る吸音部材３０を設けた例である。すなわち、容器本体１０に形成した凹所１１内に化粧料を収納する皿枠４０を設け、この皿枠４０の前側縁部４０ａの一部、ここでは凹所１３の中央に対応する部分に弾性板３３を設け、これにより上下方向に吸音部材３０を突設している。この実施形態の場合、弾性板３３は、合成樹脂製の皿枠４０の縁部に前側から２本の溝４１を入れることにより、上下方向に弾性的に撓む小片とし、その上面先端部に半円状断面の小突起４２を形成したものから成る。
【００１０】
そして、この弾性板３３の突設量、つまり小突起４２の高さは、蓋体２０を閉じるべくフック２２が係合突起１４に乗り上げ、その下り斜面１４ｂでの係合過程に入った際、蓋体２０と容器本体１０，ひいては皿枠４０との接触を阻止すべく蓋体２０に上記弾性板３３が接触されるように設定されている。
【００１１】
上記構成の作用は次のようになる。蓋体２０を閉じる際には、まずフック２２の爪部２３が係合突起１４に係合して上り斜面１４ａに乗り上げる。この乗り上げ過程では、蓋体２０は弾性板３３に対してまだ無接触の状態にある。次いで、フック２２の爪部２３が係合突起１４の頂部を乗り越え、フック２２は急速にその下り斜面１４ｂでの係合過程に入り安定しようとする。このため、上記吸音部材３０の弾性板３３が存在しなければ、フック２２の爪部２３が係合突起１４と係合し合うことでいわゆるフック音を発生する。
【００１２】
しかし、本実施形態では吸音部材３０の弾性板３３が存在するため、フック２２が係合突起１４の下り斜面１４ｂでの係合過程に入り落ち込んで安定しようとする際には、図１に示すように、上記弾性板３３の上端に蓋体２０が接触する。従って、係合時の蓋体２０と容器本体１０との接触による衝撃が弾性板３３で十分に吸収・減衰され、フック音が気にならない程度まで消音される。
【００１３】
その後、手を離して蓋体２０の押圧力を解除すると、弾性板３３の復帰力で蓋体２０が押し上げられるが、この押し上げ力よりも、フック２２の爪部２３と係合突起１４との係合力の方が強いため、蓋体２０は閉成状態に保持される。なお、蓋体２０を開くときは、凹所１３内に指を入れて、蓋体２０の前部２１を上に押し上げればよい。
【００１４】
【発明の効果】
請求項１の発明に係る化粧料容器によれば、皿枠の縁の一部に弾性板から成る吸音部材を突設し、この弾性板を、縁の一部に２本の溝を入れて形成され、上下方向に弾性的に撓む小片と、小片の上面に形成された突起とから構成して、蓋体を閉じるべくフックが係合突起に乗り上げ、その下り斜面での係合過程に入った際、蓋体と容器本体の接触を阻止すべく蓋体に上記吸音部材が接触されるようにしたので、皿枠を有する構成の化粧料容器において、フック係合時の音を、従来の化粧料容器に較べ、小さく、ソフトな音にすることができる。
【図面の簡単な説明】
【図１】  本発明の実施形態に係る化粧料容器のフックの係合状態を示した断面図である。
【図２】  図１の化粧料容器の容器本体の前部を示した斜視図である。
【符号の説明】
１０  容器本体                      １１  凹所
１２  前部                          １２ａ  正面壁
１３  凹所                          １３ａ  前面壁
１４  係合突起                      １４ａ  上り斜面
１４ｂ  下り斜面
２０  蓋体                          ２１  前部
２２  フック                        ２３  爪部
２４  バニティミラー
３０  吸音部材
３３  弾性板                        ４０  皿枠
４０ａ  前側縁部                    ４１  溝
４２  小突起
【図１】
0004128002.tif 000002
【図２】
0004128002.tif 000003